(57)【特許請求の範囲】
【請求項１】
模様を有する帯状の連続紙が巻き取られている筒状のロールペーパーであって、
端面が無模様の単色着色面であり、
前記帯状の連続紙が、側縁を含む幅方向１〜３０ｍｍの範囲に長手に連続するベタ印刷又は網点印刷された部分を有する模様を有し、かつ側縁を含む幅方向１〜３０ｍｍの範囲の模様間に別の図案模様を有し、
前記端面の無模様の単色着色面が、前記側縁を含む幅方向１〜３０ｍｍの範囲に長手に連続するベタ印刷又は網点印刷された部分が露出されることにより形成されている、ことを特徴とするロールペーパー。
【請求項２】
模様を有する帯状の連続紙が巻き取られている筒状のロールペーパーであって、
端面が、線又は点が実質的に均一に配置されてなる、実質的に均一な単一色面又は規則的な単色の模様面であり、
前記帯状の連続紙が、側縁を含む幅方向１〜３０ｍｍの範囲に、線、点、図形、図案、幾何学的な図柄又は文字が規則的に連続配置されてなる模様を有し、その模様によって前記帯状の連続紙の側縁に印刷部分と非印刷部分とが長手方向に規則的に配列され、その印刷部分と非印刷部分との比が１：１〜１０：１でありかつ非印刷部分の長さが１０ｍｍ未満であり、かつ側縁を含む幅方向１〜３０ｍｍの範囲の模様間に別の図案模様を有し、
端面が、線又は点が実質的に均一に配置されてなる、実質的に均一な単一色面又は規則的な単色の模様面が、前記帯状の連続紙の側縁に印刷部分と非印刷部分が露出されることにより形成されている、
ことを特徴とするロールペーパー。
【発明の詳細な説明】
【技術分野】
【０００１】
本発明は、キッチンペーパー、トイレットペーパー等のロールペーパーに関する。
【背景技術】
【０００２】
花柄等の模様が印刷されたロール状のトイレットペーパー（以下、トイレットロールという）は、トイレのインテリア性を向上させるなど視覚的な効果を有する。
【特許文献１】特開２００３−２６５３５３号公報
【特許文献２】特開２００６−１３６４９９号公報
【発明の開示】
【発明が解決しようとする課題】
【０００３】
しかし、この種の従来製品は、模様が印刷された幅広の帯状連続原紙が巻き取られてなる長尺ロールを、適宜大きさに裁断して個別のトイレットロールとする製法上、端面（鏡面）が不規則なマーブル模様となっており、当該面の意匠性は好ましいものではなかった。特に模様が多色印刷されているものは、複数色が不規則に入り乱れたマーブル模様となっており、特に意匠性について好ましいものではなかった。
そして、このような鏡面の意匠性のなさは、かかる商品が一般に透明の樹脂製袋に梱包されて市販されることから、その商品訴求力を阻害する要因になる。
そこで、本発明の主たる課題は、周面（胴面）のみならず、端面（鏡面）にも意匠性のあるロールペーパーを提供することにある。
【課題を解決するための手段】
【０００４】
上記課題を解決した本発明及びその作用効果は次記のとおりである。
＜請求項１記載の発明＞
模様を有する帯状の連続紙が巻き取られている筒状のロールペーパーであって、
端面が無模様の単色着色面であり、
前記帯状の連続紙が、側縁を含む幅方向１〜３０ｍｍの範囲に長手に連続するベタ印刷又は網点印刷された部分を有する模様を有し、かつ側縁を含む幅方向１〜３０ｍｍの範囲の模様間に別の図案模様を有し、
前記端面の無模様の単色着色面が、前記側縁を含む幅方向１〜３０ｍｍの範囲に長手に連続するベタ印刷又は網点印刷された部分が露出されることにより形成されている、ことを特徴とするロールペーパー。
【０００５】
＜請求項２記載の発明＞
模様を有する帯状の連続紙が巻き取られている筒状のロールペーパーであって、
端面が、線又は点が実質的に均一に配置されてなる、実質的に均一な単一色面又は規則的な単色の模様面であり、
前記帯状の連続紙が、側縁を含む幅方向１〜３０ｍｍの範囲に、線、点、図形、図案、幾何学的な図柄又は文字が規則的に連続配置されてなる模様を有し、その模様によって前記帯状の連続紙の側縁に印刷部分と非印刷部分とが長手方向に規則的に配列され、その印刷部分と非印刷部分との比が１：１〜１０：１でありかつ非印刷部分の長さが１０ｍｍ未満であり、かつ側縁を含む幅方向１〜３０ｍｍの範囲の模様間に別の図案模様を有し、
端面が、線又は点が実質的に均一に配置されてなる、実質的に均一な単一色面又は規則的な単色の模様面が、前記帯状の連続紙の側縁に印刷部分と非印刷部分が露出されることにより形成されている、
ことを特徴とするロールペーパー。
【０００６】
【０００７】
【０００８】
【発明の効果】
【０００９】
以上のとおり、本発明によれば、周面（胴面）のみならず、端面（鏡面）にも意匠性のあるロールペーパーが提供される。
【発明を実施するための最良の形態】
【００１０】
次いで、本発明の実施の形態を、図面を参照しながら以下に詳述する。
＜第１の実施の形態＞
本形態のロールペーパーＸ１は、帯状の連続紙１０が巻き取られてロール状をなしているものである。
前記連続紙１０の側縁部１０Ｓには、側縁１０ｅを含む幅方向所定範囲を長手に連続して単色ベタ印刷したベタ印刷部１１ｂをその構成要素の全部又は一部とする模様１１が、配されている。
前記ベタ印刷部１１ｂにより、ロールペーパーＸ１の端面１Ｓは、ベタ印刷部１１ｂの連続的な積層面で構成されて連続紙１０の素地と異なる色の無模様着色面となっている。
ここで、ベタ印刷に代えて、網点印刷を採ることもできる。この場合には、印刷面積を５％以上にするのが望ましい。５％未満であると実質的に無模様となり難い。
【００１１】
他方、本形態のロールペーパーＸ１では、連続紙１０の両側縁部１０Ｓ，１０Ｓの模様１１間に、絵・柄・文字等の図案を複数配してなる模様１２（以下、図案模様ともいう）が配されている。図示例では、複数の花柄の図案が配された模様を有している。
図案模様１２を構成する模様は、図示例の花柄に限定されることなく、螺旋模様、波模様、ドット模様、亀甲模様、星模様、十字模様、幾何学模様などの適宜の図案を配することができる。
以上の構成を有することで、本形態のロールペーパーＸ１は、図案模様１２による優れた周面の意匠性を有しつつ、従来製品において当該図案模様１２により引き起こされていた、端面のマーブル模様がなく、単色無模様端面１Ｓとなっている点で意匠性が向上されている。
【００１２】
さらに、本形態にかかるロールペーパーＸ１では、連続紙１０にベタ印刷部１１ｂを有してされていれば、着色無模様端面が形成されることから、図３に示すように、連続紙１０の側縁部１０Ｓに付与する模様をストライプ状の模様１１ｓとすることができる。
かかるストライプ模様１１ｓとすれば、より周面の模様に不自然さを与えることなくまた意匠性を低下させることなく、端面１Ｓを着色無模様端面を形成できる。
【００１３】
さらに、図４に示すように、ベタ印刷部１１ｂを含む側縁部１０Ｓの模様１１を、規則的な幾何学的な図柄として、胴面１Ｃの意匠性を向上させることもできる。
ここで、ベタ印刷又は網点印刷する範囲Ｌ１としては、具体的には、連続紙の側縁１０ｅから１〜３０ｍｍ程度の範囲とするのがよい。端面１Ｓに多少の潰れが生じても他色部分が露出されなくなる。
連続紙１０に対する、ベタ印刷部１１ｂを含む模様・図柄１１及び、図案模様１２の付与方法は、特に限定されるものではなく、連続するシートに対する既知の印刷技術により行うことができる。例えば、オフセット印刷機、グラビア印刷機による印刷技術により付与することができる。
【００１４】
なお、端面１Ｓへの直接的な印刷によっても無模様着色端面は得られるが、積層面である端面への印刷は極めて難しく、上記本形態のベタ印刷部形成方法により構成するのが製造上極めて有利である。特にトイレットロール等の連続紙の坪量が小さく、水解性である連続紙を巻き取ってなるロールペーパーでは、極めて困難性を有することになるため、本形態の構成を取るのが極めて製造上効果的である。
他方、連続紙１０は、エンボスが付与されていてもよい。エンボス形態等は特に限定されず、既知のエンボス技術に従って、適宜付与することができる。連続紙の側縁１０ｅから１〜３０ｍｍ程度の範囲とするのがよい。端面１Ｓに多少の潰れが生じても他色部分が露出されなくなる。
【００１５】
ここで連続紙１０の物性は、トイレットペーパー、キッチンペーパー、タオルペーパー等のロールペーパー製品の各用途に応じて適宜設計することができる。
例えば、トイレットロールであれば、連続紙は２プライ又は３プライとするのが望ましく、その１プライのＪＩＳ Ｐ ８１２４による坪量としては、１０〜２５ｇ／ｍ2とするのが好ましい。下限を１０ｇ／ｍ2と規定したのは、１０ｇ／ｍ2を下回ると、柔らかさの向上の観点からは好ましいが強度を適正に確保することができないためである。また、上限を２５ｇ／ｍ2と規定したのは、２５ｇ／ｍ2を上回ると、硬くなりすぎて、肌触りが悪化するためである。
キッチンペーパー等とするのであれば、既知のキッチンペーパーの構成を参考により高い坪量、例えば１５〜３０ｇ／ｍ2とすることができる。
【００１６】
さらに、連続紙１０は、トイレットロールであれば、縦強度（ＭＤＴ）が２００〜４００ｇｆ／１５ｍｍ、横強度（ＣＤＴ）が５０〜１５０ｇｆ／１５ｍｍであり、縦伸び（ＭＤＳ）が１０〜３０％（測定はＪＩＳ Ｐ ８１１３に準拠）であることが好ましい。
より強度が要求されるシート製品（キッチンペーパー）の場合には、縦強度（ＭＤＴ）が１３００〜２０００ｇｆ／１５ｍｍ、横強度（ＣＤＴ）が４００〜７００ｇｆ／１５ｍｍであり、縦伸び（ＭＤＳ）が５〜３０％（測定はＪＩＳ Ｐ ８１１３に準拠）であることが好ましい。
原紙強度が、これらの下限値以下ではシートの破断等が起き、上限値以上では風合いが悪化する。また、シートの伸びがこれらの下限値以下ではシートの破断等が起き、上限値以上ではシートにしわ等が発生して操業性が悪化する。
【００１７】
連続紙１０は、その原料もまた、トイレットペーパー、キッチンペーパー、タオルペーパー等のロールペーパーの各用途に応じて、パルプ繊維や、ポリエチレン、ポリエチレンテレフタレート、ポリプロピレン等のフィルム、などの適宜の原料を使用することができる。
連続紙１０が、パルプ繊維等からなる場合、公知の抄紙工程、具体的には、ワイヤパート、プレスパート、ドライヤパート、サイズプレス、カレンダパート等を経るなどして、エンボス付与の対象となる原紙シートとすることができる。この抄紙に際しては、例えば、分散剤、苛性ソーダ、アンモニア水等のｐＨ調整剤、消泡剤、防腐剤、蛍光染料、離型剤、耐水化剤、流動変性剤、歩留まり向上剤などの適宜の薬品を添加することができる。
【００１８】
原料が、パルプ繊維である場合、パルプ繊維（原料パルプ）としては、木材パルプ、非木材パルプ、合成パルプ、古紙パルプなどから、より具体的には、砕木パルプ（ＧＰ）、ストーングランドパルプ（ＳＧＰ）、リファイナーグランドパルプ（ＲＧＰ）、加圧式砕木パルプ（ＰＧＷ）、サーモメカニカルパルプ（ＴＭＰ）、ケミサーモメカニカルパルプ（ＣＴＭＰ）、ブリーチケミサーモメカニカルパルプ（ＢＣＴＭＰ）等の機械パルプ（ＭＰ）、化学的機械パルプ（ＣＧＰ）、半化学的パルプ（ＳＣＰ）、広葉樹晒クラフトパルプ（ＬＢＫＰ）、針葉樹晒クラフトパルプ（ＮＢＫＰ）等のクラフトパルプ（ＫＰ）、ソーダパルプ（ＡＰ）、サルファイトパルプ（ＳＰ）、溶解パルプ（ＤＰ）等の化学的パルプ（ＣＰ）、ナイロン、レーヨン、ポリエステル、ポリビニルアルコール（ＰＶＡ）等を原料とする合成パルプ、脱墨パルプ（ＤＩＰ）、ウエストパルプ（ＷＰ）等の古紙パルプ、かすパルプ（ＴＰ）、木綿、アマ、麻、黄麻、マニラ麻、ラミー等を原料とするぼろパルプ、わらパルプ、エスパルトパルプ、バガスパルプ、竹パルプ、ケナフパルプ等の茎稈パルプ、靭皮パルプ等の補助パルプなどから、一種又は数種を適宜選択して使用することができる。
【００１９】
上記説明の本形態のロールペーパーＸ１を製造するにあたっては、まず幅広の連続原紙に対する印刷工程において、後段のカッターによる裁断予定箇所を含む範囲にベタ印刷部の２倍程度の線状印刷部を設け、連続紙１０に模様を付したのち巻取り機にて巻取る。
その巻取り紙をカッターに幅方向に線状印刷部のほぼ中央を裁断することで、本形態にかかるロールペーパーＸ１が得られる。既知の製造工程に準じて製造することができる。
なお、上記幅であれば巻取りによるズレやカッターによる裁断時のズレ等によってベタ印刷部が得られない事故が生ずる可能性はほとんどない。
【００２０】
＜第２の実施の形態＞
第２の実施の形態のロールペーパーＸ２は、連続紙１０の側縁部１０Ｓに線、点、図形、図案、幾何学的な図柄又は文字が、連続紙の長手方向に規則的に連続配置されてなる模様１１が配されている形態であり、特に、第１の実施の形態と相違点は、帯状の連続紙１０の側縁１０ｅに、模様のかかる部分（印刷部分）Ｐ１と模様がかからない部分（非印刷部分）Ｐ２とがある形態となっている点である。
前記模様１１としては、三角形、四角形等の角形を多数配したドット模様、格子模様、編目模様、側縁１０ｅに対して所定角度、例えば３０〜４５度程度の角度をなして交差する多数のラインで構成されるメッシュ模様、螺旋模様、波模様、ドット模様、亀甲模様、星模様、十字模様、幾何学模様など適宜の図案を配することができる。ただし、必ずしもこの例に限定されるものではない。
本形態のロールペーパーＸ２における幾何学的模様１１は、単色で特に素地と同系色で構成するのが望ましく、また、側縁１０ｅにおける模様部分（印刷部分）Ｐ１と非模様部分（非印刷部分）Ｐ２とが、一定の比率で規則的に長手に連続するようにしているのがより望ましい。
また、側縁１０ｅにかかる模様部分（印刷部分）Ｐ１の幅と非模様部分（非印刷部分）Ｐ２の幅との比率が、１０：１〜１：１となるようにするのがよい。
ロールペーパーの巻き密度にもよるが、非模様部分Ｐ２の比率が多くなるとマーブル模様に近い端面となる意匠性の向上が見込めなくなる。
さらに、その側縁１０ｅにかかる非模様部分（非印刷部分）Ｐ２は、単位部分あたり１０ｍｍ未満とするのがよい。非模様部分（非印刷部分）Ｐ２の範囲がかかる範囲にあれば、少なくとも端面１Ｓが、印刷部分Ｐ１によるドット・線の積層により全体として印刷色よりも淡色の実質的に均一な単一色面となるか、又はドット・線が円状に幾重にも重なる規則的な渦状模様面・円模様面となり、少なくとも不規則なマーブル模様と比較して格段に意匠性に優れた端面となる。
その他、図案模様１２を配する点、連続紙の物性、製造方法等は第１の実施の形態と同様の構成とすることができる。
【実施例】
【００２１】
次いで、本発明に関するロールペーパーを作成し、連続紙側縁の模様を付与する範囲と見栄えの関係、及び、連続紙の側縁の模様のかかる部分（印刷部分）Ｐ１と模様がかからない部分（非印刷部分）Ｐ２との比率と見栄えの関係について評価した。
なお、試料１〜５は、トイレットペーパー、試料６〜１０は、キッチンペーパーである。評価方法は、被験者に試料の周面と端面とを目視にて観察させ、その見栄えの感じについて「良い」「悪い」の二択で選択させる官能評価とした。被験者は５０人とした。表中の結果○は、被験者４０人以上が見栄えがよいと感じたものであり、△はそれ以外のものである。
【００２２】
【表１】
0005490358.tif 000002
【００２３】
表中の評価の欄に示されるとおり、模様部分の割合が過度に高いと、鏡面の見栄えについて良いと感じない被験者が多くなる傾向にあることが知見された。
【産業上の利用可能性】
【００２４】
本発明は、ロールペーパーの他、模様を有する帯状のシート材を巻き取って形成されるシートロールに利用可能である。
【図面の簡単な説明】
【００２５】
【図１】第１の実施形態のロールペーパーの斜視図である。
【図２】その連続紙の模様・図柄を説明するための図ある。
【図３】第１の実施の形態のロールペーパーの他の模様例を示す図である。
【図４】第１の実施の形態のロールペーパーの別の模様例を示す図である。
【図５】第２の実施の形態のロールペーパーを説明するための図である。
【図６】その一方側縁部の拡大図である。
【符号の説明】
【００２６】
Ｘ１〜２…トイレットロール、１Ｓ…トイレットロール端面（鏡面）、１Ｃ…トイレットロール周面（胴面）、１０…連続紙、１０Ｓ…連続紙の側縁を含む所定範囲、１０ｅ…連続紙の側縁、１１…ベタ印刷部（幾何学的模様部）、１１ｓ…ストライプ模様、１２…図案模様、Ｐ１…模様部分、Ｐ２…非模様部分、Ｌ１…ベタ印刷範囲。
【図１】
0005490358.tif 000003
【図２】
0005490358.tif 000004
【図３】
0005490358.tif 000005
【図４】
0005490358.tif 000006
【図５】
0005490358.tif 000007
【図６】
0005490358.tif 000008